(57)【要約】【課題】毛髪に対するダメージの低減とパーマネント処理の時間の短縮の両方を実現する手段を提供する。【解決手段】カーラ１１は、網状体の側面により構成される中空の円筒形状の本体部の表面にフェルト等の保液能力を備えた素材を付着させ覆った構造を備えており、その側面が備える多数の孔の各々には、細い葉形状に曲げ加工された針金の一方の端部にヘッド部の取り付けられたピン１２が差し込み可能である。理美容師は、偏平状に整えた毛髪束を、コールドペーパーを用いることなくカーラ１１に直接当接しつつ巻き取った後、ピン１２を差し込んで巻き取られた毛髪束を固定する。理美容師は巻き取りの前後もしくは途中に軟化剤をスプレイヤにより噴霧し、所定時間経過後に硬化剤をスプレイヤにより噴霧することにより、パーマネント処理による毛髪形状の形成を行う。【選択図】図５
2012034919.tif 000002
【特許請求の範囲】
【請求項１】
複数の孔が設けられた側面を備える中空の円筒形のカーラの外側面上に一の毛髪束を巻き付けるステップと、
前記巻き付けるステップにより前記一の毛髪束が巻き付けられた前記カーラの前記複数の孔のうちの互いに対向する２つの孔を貫くように、ピンを前記カーラに差し込むステップと、
前記巻き付けるステップの前から前記ピンを差し込むステップの後に至る時間のいずれかのタイミングで、前記一の毛髪束の表面に毛髪を軟化させる軟化剤を付着させるステップと、
前記付着させるステップに続く所定の時間が経過した後、前記一の毛髪束の表面に毛髪を硬化させる硬化剤を付着させるステップと
を備える方法。
【請求項２】
前記巻き付けるステップにおいて、前記一の毛髪束が前記カーラの外側面に直接接するように巻き付けられる
請求項１に記載の方法。
【請求項３】
前記巻き付けるステップは、第１の毛髪束に関し第１のカーラを用いて行われる前記巻き付けるステップである第１の巻き付けるステップと、第２の毛髪束に関し第２のカーラを用いて行われる前記巻き付けるステップである第２の巻き付けるステップとを備え、
前記差し込むステップは、前記第１の毛髪束に関し第１のピンを用いて行われる前記差し込むステップである第１の差し込むステップと、前記第２の毛髪束に関し第２のピンを用いて行われる前記差し込むステップである第２の差し込むステップとを備え、
前記第２の差し込むステップにおいて、前記第２のピンは、前記第２のカーラが備える前記複数の孔のうちの互いに対向する２つの孔に加え、前記第１の差し込むステップにおいて頭皮上に固定された前記第１のカーラが備える前記複数の孔のうちの互いに対向する２つの孔を貫くように、前記第２のカーラおよび前記第１のカーラに差し込まれる
請求項１または２に記載の方法。
【請求項４】
前記第２の差し込むステップの後から前記硬化剤を付着させるステップの前に至る時間のいずれかのタイミングで、前記第１のピンを前記第１のカーラから引き抜くステップを備える
請求項３に記載の方法。
【請求項５】
前記カーラの側面は、前記複数の孔を構成する網状体である
請求項１乃至４のいずれかに記載の方法。
【請求項６】
前記カーラの外側面は保液能力を備えた素材で被覆されている
請求項１乃至５のいずれかに記載の方法。
【請求項７】
前記カーラは、直径が１５ミリメートル未満である
請求項１乃至６のいずれかに記載の方法。
【請求項８】
前記軟化剤を付着させるステップおよび前記硬化剤を付着させるステップの少なくとも一方は、軟化剤もしくは硬化剤をスプレイヤにより噴霧することにより前記一の毛髪束に付着させるステップである
請求項１乃至７のいずれかに記載の方法。
【請求項９】
前記スプレイヤは、噴射角度が３０度以下である
請求項８に記載の方法。
【請求項１０】
複数の孔を構成する網状体を側面として構成した直径が１５ミリメートル未満の中空の円筒形の構造物である本体部と、
前記本体部の外側面を被覆する保液能力を備えた素材である被覆部と
を備えるパーマネント処理用の毛髪束巻き取り器具。
【発明の詳細な説明】
【技術分野】
【０００１】
本発明は、毛髪にパーマネント処理を行う技術に関する。
【背景技術】
【０００２】
従来、毛髪にストレートパーマやウェーブパーマ等のパーマネント処理を行う方法として、以下の処理が広く行われている。
（１）洗髪を行い、毛髪全体を清潔にする。
（２）パーマネント処理を要する毛髪全体に第１液（軟化剤または還元剤）を塗布して毛髪を軟化させる。
（３）毛髪全体から一束の毛髪を櫛でスライスして分け取り、分け取った毛髪束を偏平状に整えた後、コールドペーパーと呼ばれる短冊状の紙を偏平状の毛髪束に当接する。
（４）コールドペーパーの当接された偏平状の毛髪束を、毛髪の先端から根元に向かいロッドに対し巻き付ける。その際、ロッドが毛髪束と頭皮の間に入り込む方向に巻き付けを行う。
（５）毛髪束が巻き付けられたロッドの両端の各々に設けられた溝にゴムを掛け、巻き付けられた毛髪束を固定する。
（６）上記（３）〜（５）の処理を、通常、頭頂部から下方に向けて順次繰り返す。
（７）パーマネント処理を要する毛髪全体に関し（６）までの処理が完了すると、ロッドに巻き付けられた状態の毛髪束に対し遠赤外線等の加温器により所定時間の加温を行う。
（８）パーマネント処理を要する毛髪全体に第２液（硬化剤または酸化剤）を塗布して毛髪を硬化させる。
（９）所定時間の経過後、各々の毛髪束をロッドから取り外す。
（１０）毛髪全体を温湯で洗浄する。
【０００３】
なお、上記（３）と（４）の処理の間に第１液の塗布が行われる場合もある。また、（７）と（８）の処理の間に第１液の洗浄が行われる場合もある。
【０００４】
パーマネント処理においては、毛髪に与えるボリューム感の増加、毛髪に対するダメージの減少、パーマネント処理に要する時間の短縮、といった課題があり、従来、それらの課題を解決するための技術が多く提案されてきている。
【０００５】
それらの技術の一例として、例えば特許文献１には、ロッドの長手方向に対し４５度の角度を持たせて毛髪束を巻き付け、襷がけのように、その巻き付けをロッドの長手方向に一往復させることのより、ボリューム感のある毛髪形状を毛髪へのダメージを抑えながら実現する方法が開示されている。
【先行技術文献】
【特許文献】
【０００６】
【特許文献１】特開２００９−２８５２２２号公報
【発明の概要】
【発明が解決しようとする課題】
【０００７】
上述したように、毛髪に対するパーマネント処理において、毛髪に対するダメージの低減は理美容院の顧客に対するサービス品質の向上のための重要な要素である。また、パーマネント処理に要する時間の短縮は、顧客に対するサービス品質の向上に加え、理美容院のスタッフの作業における負担減にも貢献する。
【０００８】
本発明は、上述した事情に鑑み、従来の一般的なパーマネント処理の技術と比較し、毛髪に対するダメージの低減とパーマネント処理の時間の短縮の両方を実現する手段を提供することを目的とする。
【課題を解決するための手段】
【０００９】
上記の目的を達成するため、本発明は、
複数の孔が設けられた側面で構成される中空の円筒形のカーラの外側面上に一の毛髪束を巻き付けるステップと、
前記巻き付けるステップにより前記一の毛髪束が巻き付けられた前記カーラの前記複数の孔のうちの互いに対向する２つの孔を貫くように、ピンを前記カーラに差し込むステップと、
前記巻き付けるステップの前から前記ピンを差し込むステップの後に至る時間のいずれかのタイミングで、前記一の毛髪束の表面に毛髪を軟化させる軟化剤を付着させるステップと、
前記付着させるステップに続く所定の時間が経過した後、前記一の毛髪束の表面に毛髪を硬化させる硬化剤を付着させるステップと
を備える方法
を第１の実施態様として提供する。
【００１０】
また、上記の第１の実施態様において、
前記巻き付けるステップにおいて、前記一の毛髪束が前記カーラの外側面に直接接するように巻き付けられる
構成が第２の実施態様として採用されてもよい。
【００１１】
また、上記の第１または第２の実施態様において、
前記巻き付けるステップは、第１の毛髪束に関し第１のカーラを用いて行われる前記巻き付けるステップである第１の巻き付けるステップと、第２の毛髪束に関し第２のカーラを用いて行われる前記巻き付けるステップである第２の巻き付けるステップとを備え、
前記差し込むステップは、前記第１の毛髪束に関し第１のピンを用いて行われる前記差し込むステップである第１の差し込むステップと、前記第２の毛髪束に関し第２のピンを用いて行われる前記差し込むステップである第２の差し込むステップとを備え、
前記第２の差し込むステップにおいて、前記第２のピンは、前記第２のカーラが備える前記複数の孔のうちの互いに対向する２つの孔に加え、前記第１の差し込むステップにおいて頭皮上に固定された前記第１のカーラが備える前記複数の孔のうちの互いに対向する２つの孔を貫くように、前記第２のカーラおよび前記第１のカーラに差し込まれる
構成が第３の実施態様として採用されてもよい。
【００１２】
また、上記の第３の実施態様において、
前記第２の差し込むステップの後から前記硬化剤を付着させるステップの前に至る時間のいずれかのタイミングで、前記第１のピンを前記第１のカーラから引き抜くステップを備える
構成が第４の実施態様として採用されてもよい。
【００１３】
また、上記の第１乃至第４のいずれかの実施態様において、
前記カーラの側面は、前記複数の孔を構成する網状体である
構成が第５の実施態様として採用されてもよい。
【００１４】
また、上記の第１乃至第５のいずれかの実施態様において、
前記カーラの外側面は保液能力を備えた素材で被覆されている
構成が第６の実施態様として採用されてもよい。
【００１５】
また、上記の第１乃至第６のいずれかの実施態様において、
前記カーラは、直径が１５ミリメートル未満である
構成が第７の実施態様として採用されてもよい。
【００１６】
また、上記の第１乃至第７のいずれかの実施態様において、
前記軟化剤を付着させるステップおよび前記硬化剤を付着させるステップの少なくとも一方は、軟化剤もしくは硬化剤をスプレイヤにより噴霧することにより前記一の毛髪束に付着させるステップである
構成が第８の実施態様として採用されてもよい。
【００１７】
また、上記の第８の実施態様において、
前記スプレイヤは、噴射角度が３０度以下である
構成が第９の実施態様として採用されてもよい。
【００１８】
また本発明は、
複数の孔を構成する網状体を側面として構成した直径が１５ミリメートル未満の中空の円筒形の構造物である本体部と、
前記本体部の外側面を被覆する保液能力を備えた素材である被覆部と
を備えるパーマネント処理用の毛髪束巻き取り器具
を第１０の実施態様として提供する。
【発明の効果】
【００１９】
本発明の第１の実施態様にかかる方法によれば、毛髪束が巻き取られたカーラがピンにより固定されるため、例えば毛髪束が巻き取られたロッドに対しゴム掛けを行う従来の固定の方法と比較し、毛髪に対し不要な力が加わる危険性が少なく、毛髪に対するダメージが軽減されるとともに、カーラの固定の作業がピンの差し込みのみで簡易に行えるため、巻き取りに要する時間が短縮される。
【００２０】
本発明の第２の実施態様にかかる方法によれば、毛髪束をそのままカーラに巻き付けていけばよいため、例えばコールドペーパーを毛髪束に当接させて毛髪束とともにロッドに巻き取る従来の方法と比較し、手間数が少なく短時間で巻き取りの作業を行うことができる。
【００２１】
本発明の第３の実施態様にかかる方法によれば、既に毛髪束の巻き取りを終えて頭皮上に固定されている第１のカーラに対し、新たに毛髪束の巻き取りを終えた第２のカーラが１本のピン（第２のピン）で串刺しにされて固定されるため、近接するカーラ間の位置関係、すなわち複数の毛髪束の固定位置の関係を固定することができ、全体としての毛髪形状を希望する形状に形成しやすい。
【００２２】
本発明の第４の実施態様にかかる方法によれば、第２のカーラの固定時に第２のピンにより串刺しにされた第１のカーラをそれまで固定していた第１のピンを引き抜いても、第１のカーラが第２のピンで固定されているため、抜き取った第１のピンを他のカーラの固定に用いることができ、パーマネント処理全体に要するピンの数を減らすことができる。その結果、パーマネント処理を受ける人の頭皮上に乗る器具の重さが軽減され不快感が和らげられるとともに、多くのパーマネント処理の完了時にカーラを取り外す時間も短縮される。
【００２３】
本発明の第５の実施態様にかかる方法によれば、カーラの側面が網状体となっており、ピンの差し込み位置の自由度が高いため、カーラの固定作業を容易に行うことができる。また、カーラの重量が軽減されるため、パーマネント処理を受ける人の不快感が和らげられるとともに、カーラ重量により巻き取られた毛髪束が垂れ下がり、希望する毛髪形状が得られにくくなるという問題が生じにくい。また、軟化剤および硬化剤が網状体のカーラの側面を通過して毛髪全体に拡がりやすいため、軟化剤および硬化剤の付着のムラにより生じる不都合が軽減される。
【００２４】
本発明の第６の実施態様にかかる方法によれば、カーラの外側面が保液能力を備えた素材で被覆されているため、巻き取られた毛髪束に塗布や噴霧等される軟化剤および硬化剤が毛髪表面に留まりやすく、それらの液剤の垂れによりパーマネント処理を受ける人に与えられる不快感が軽減される。また、保液能力を備えた素材が毛髪束にほどよく絡むことで、例えばコールドペーパーとともに毛髪束をロッドに巻き取ってゴム掛けする従来の技術による場合と比較し、巻き取り時に毛髪束にかけるテンションを小さくすることができる。そのため、ボリューム感のある毛髪形状が得られやすいとともに、毛髪に対するダメージも少ない。
【００２５】
本発明の第７の実施態様にかかる方法によれば、小径のカールをもたらすパーマネント処理を、毛髪に対するダメージを小さく抑えつつ、スピーディに行うことが可能となる。
【００２６】
本発明の第８の実施態様にかかる方法によれば、スプレイヤによる噴霧により軟化剤もしくは硬化剤の毛髪束に対する供給が可能となるので、例えばボトルから液剤を毛髪束に垂らして塗布する従来の方法と比較し、簡易かつスピーディにその作業を行うことができる。
【００２７】
本発明の第９の実施態様にかかる方法によれば、スプレイヤにより噴霧される液剤の噴霧範囲が通常のスプレイヤによるものと比較して狭いため、毛髪束を巻き取ったカーラ毎に液剤を供給することができ、望ましい。
【００２８】
本発明の第１０の実施態様にかかる器具によれば、本発明の第７の実施態様にかかる方法が実施可能となり、従って、小径のカールをもたらすパーマネント処理を、毛髪に対するダメージを小さく抑えつつ、スピーディに行うことが可能となる。
【図面の簡単な説明】
【００２９】
【図１】図１は、本発明の一実施形態にかかる毛髪パーマネント処理方法において使用されるカーラの一例の写真である。
【図２】図２は、本発明の一実施形態にかかる毛髪パーマネント処理方法において使用されるピンの一例の写真である。
【図３】図３は、本発明の一実施形態にかかる毛髪パーマネント処理方法において使用されるカーラにピンが差し込まれた状態を示した写真である。
【図４】図４は、本発明の一実施形態にかかる毛髪パーマネント処理方法の手順の一例を示したフロー図である。
【図５】図５は、本発明の一実施形態にかかる毛髪パーマネント処理方法における毛髪束の巻き取りおよび固定が行われた後の頭部を側方から見た状態を例示した写真である。
【図６】図６は、従来技術にかかる毛髪パーマネント処理方法における毛髪束の巻き取りおよび固定が行われた後の頭部を側方から見た状態を例示した写真である。
【発明を実施するための形態】
【００３０】
［１．実施形態］
以下、本発明の一具体例である実施形態を、図面を用いて説明する。図１は、本実施形態にかかる毛髪パーマネント処理方法１において使用されるカーラ１１の一例の写真である。カーラ１１は、例えばステンレス等の金属や硬質プラスチック等の硬い素材でできた側面が網状体の中空の円筒形状の構造物である本体部と、本体部の少なくとも外側面の全体を覆うように接着された例えば０．５ミリメートル程に短くカットされた繊維等の保液能力を備えた素材である被覆部とにより構成されている。
【００３１】
図２は、毛髪パーマネント処理方法１において使用されるピン１２の一例の写真である。ピン１２は、例えば直径約０．８ミリメートル、長さ約１４０ミリメートルのステンレスの針金を２つ折りにした構成の本体部と、本体部の２つ折りされた側の端部（以下、「先端部」という）とは異なる側の端部（すなわち、２つ折り前の針金の両端）の差し込みを受容し、接着等により本体部に取り付けられた硬質プラスチック製の直径約８ミリメートルの球状体であるヘッド部とを備えている。
【００３２】
ピン１２の先端部は、使用中にユーザの指等を傷つけないように丸みをもつように折り曲げられている。また、ピン１２の本体部の先端部から所定の長さ（例えば７ミリメートル）の部分は、互いに寄り添う２本の針金の間隔が狭く一定となるように曲げ加工されている。これは、カーラ１１の側面の孔に対するピン１２の差し込み作業を容易にするためである。
【００３３】
また、ピン１２の本体部は、先端部から中腹部に向かうに従い、互いに寄り添う２本の針金の間隔が拡がるように曲げ加工が施されている。その結果、本体部は全体として細い葉形状を成している。このようにピン１２の中腹部が拡がるように構成されているのは、カーラ１１に差し込まれたピン１２の本体部がカーラ１１の孔の枠を内側から押圧することにより、その位置に安定するようにするためである。さらに、カーラ１１の孔に差し込まれたピン１２の安定性を向上させるために、ピン１２の本体部の針金には、例えば５ミリメートル周波の浅い波形状を成すように、細かい曲げ加工が施されている。
【００３４】
図３は、カーラ１１にピン１２が差し込まれた状態を示した写真である。このように、ピン１２はカーラ１１の側面に設けられた互いに対向する２つの孔を貫くようにカーラ１１に差し込まれ、その位置で安定する。
【００３５】
続いて、毛髪パーマネント処理方法１の手順を説明する。以下の説明において、パーマネント処理に要する作業を行う人を便宜的に「理美容師」と呼び、パーマネント処理を受ける人を便宜的に「顧客」と呼ぶ。
【００３６】
図４は、毛髪パーマネント処理方法１の手順の一例を示したフロー図であり、図５は以下に説明するステップＳ０７までの作業が完了した時点における顧客の毛髪の状態を側方から見た状態を例示した写真である。
【００３７】
まず、理美容師は、顧客の毛髪全体を、シャンプー等を用いて洗浄する（ステップＳ０１）。
【００３８】
続いて、理美容師は、例えば顧客の頭頂部付近の一握の毛髪束（以下、「第１の毛髪束」という）を櫛でスライスして分け取り、分け取った第１の毛髪束を偏平状に整えた後、その先端部分の下面に第１のカーラ１１−１の上方外側面を当接させ、第１の毛髪束を先端から根元に向けて巻き取る（ステップＳ０２）。
【００３９】
続いて、理美容師は、第１の毛髪束を巻き取った第１のカーラ１１−１を貫くように第１のピン１２−１を差し込み、巻き取られた第１の毛髪束をその位置に固定する（ステップＳ０３）。例えば、ステップＳ０３におけるピン１２の差し込み方向は、カーラ１１の前方上から後方下へ向かう方向である。
【００４０】
続いて、理美容師は、顧客の頭皮上において第１の毛髪束の下方に隣接する位置の一握の毛髪束（以下、「第２の毛髪束」という）を櫛でスライスして分け取り、分け取った第２の毛髪束を偏平状に整えた後、その先端部分の下面に第２のカーラ１１−２の上方外側面を当接させ、第２の毛髪束を先端から根元に向けて巻き取る（ステップＳ０４）。
【００４１】
続いて、理美容師は、第２の毛髪束を巻き取った第２のカーラ１１−２と、さらに第２のカーラ１１−２に隣接する第１のカーラ１１−１とを貫くように第２のピン１２−２を差し込み、巻き取られた第２の毛髪束をその位置に固定する（ステップＳ０５）。例えば、ステップＳ０５におけるピン１２の差し込み方向は、カーラ１１の後方上から前方下へ向かう方向である。
【００４２】
ステップＳ０５において、第１のカーラ１１−１を固定している第１のピン１２−１を第２のカーラ側にさらに差し込むことにより、第２のピン１２−２により連結された第１のカーラ１１−１および第２のカーラ１１−２を、さらに第１のピン１２−１により連結してもよい。
【００４３】
続いて、理美容師は、顧客の頭皮上において第２の毛髪束の下方に隣接する位置の一握の毛髪束（以下、「第３の毛髪束」という）を櫛でスライスして分け取り、分け取った第３の毛髪束を偏平状に整えた後、その先端部分の下面に第３のカーラ１１−３の上方外側面を当接させ、第３の毛髪束を先端から根元に向けて巻き取る（ステップＳ０６）。
【００４４】
続いて、理美容師は、第３の毛髪束を巻き取った第３のカーラ１１−３と、さらに第３のカーラ１１−３に隣接する第２のカーラ１１−２とを貫くように第３のピン１２−３を差し込み、巻き取られた第３の毛髪束をその位置に固定する（ステップＳ０７）。例えば、ステップＳ０７におけるピン１２の差し込み方向は、カーラ１１の後方上から前方下へ向かう方向である。
【００４５】
続いて、理美容師は、必要に応じて第４以降の毛髪束に関し、上記のステップＳ０２〜ステップＳ０３、ステップＳ０４〜ステップＳ０５、もしくはステップＳ０６〜ステップＳ０７の作業を繰り返す（ステップＳ０８）。
【００４６】
上記のステップＳ０２〜ステップＳ０８によりパーマネント処理の対象の毛髪全体に関し巻き取りおよび固定の作業が完了すると、理美容師はスプレイヤを用いて、巻き取られた各毛髪束に対し軟化剤を噴霧する（ステップＳ０９）。
【００４７】
ステップＳ０９において用いられるスプレイヤは、各毛髪束に個別に軟化剤の噴霧を行うことが可能なように、その噴霧範囲が狭くなるように噴霧口が構成されている。望ましくは、スプレイヤの噴霧角度は３０度以下である。なお、本願において噴霧角度とは、噴霧の及ぶ範囲が形成する円錐の回転軸を含む平面と側面との交線が成す頂点周りの角度をいう。
【００４８】
噴霧角度の狭いスプレイヤとして、予め噴霧角度が３０度以下の噴霧口を備えたスプレイヤが採用されてもよいし、噴霧角度が３０度より大きいスプレイヤの噴霧口に対し噴霧角度を３０度以下に狭めるアタッチメントを取り付ける構成が採用されてもよい。また、いずれの場合も、噴霧角度を可変としてもよい。
【００４９】
続いて、理美容師は遠赤外線加温器等を用いて軟化剤の噴霧された毛髪束に加温し軟化を促進させ、所定時間の経過を待つ（ステップＳ１０）。その後、理美容師はスプレイヤを用いて、軟化した毛髪束に対し硬化剤を噴霧し（ステップＳ１１）、所定時間の経過を待って、その形状を固定する（ステップＳ１２）。
【００５０】
なお、ステップＳ１１において用いられるスプレイヤは、ステップＳ０９において用いられるスプレイヤと同様に、その噴霧角度が３０度以下であるものが望ましい。噴霧角度をアタッチメントにより狭める構成が採用されてもよい点や、噴霧角度を可変としてもよい点に関しても、ステップＳ０９において用いられるものと同様である。
【００５１】
ステップＳ１２における所定時間の経過の後、理美容師は顧客の毛髪から全てのピン１２を引き抜き、全てのカーラ１１を毛髪束から取り外す（ステップＳ１３）。そして、理美容師は顧客の毛髪全体を洗浄し（ステップＳ１４）、髪型のセットを行い、一連の作業を完了する。
【００５２】
以上が毛髪パーマネント処理方法１の手順の一例の説明である。ここで、従来の方法と比較し、毛髪パーマネント処理方法１においては、まずゴム掛けに代えてカーラ１１の側面に設けられた任意の孔に対し任意の角度で１本のピン１２を差し込むのみで毛髪束の巻き取られた巻き取り器具の固定が行われる点が特筆すべき点である。
【００５３】
図６は、ロッドにゴム掛けを行い巻き取った毛髪束の固定を行った状態（下方の３巻）を例示した写真である。図６に示される例では、ロッドに掛けられたゴムが巻き取られた毛髪束の一部を押圧することにより生じるゴム跡を防止する目的で、ゴムとロッドとの間にピンが挟まれている。このように、従来技術による場合、ゴム跡の防止にためにはゴム掛けに加え、ピンをゴムとロッドとの間に挟む作業も必要となる。これに対し、毛髪パーマネント処理方法１による場合、そもそもゴム掛けを行わないため、ゴム跡の防止のための作業が不要である。
【００５４】
通常、カーラ１１に対するピン１２の差し込み作業は、ロッドに対するゴム掛けの作業と比べ容易で、それに要する時間も短い。さらに、ゴム跡防止のためのピン差し作業が不要であるため、毛髪パーマネント処理方法１における毛髪束の固定作業は従来技術と比較し容易かつ迅速に行うことができる。
【００５５】
また、ゴム掛けによる毛髪束の固定においては、ゴム掛けの際にゴムが直接毛髪に当たり、毛髪にダメージを与えてしまう可能性がある。また、ゴムの張力により巻き取られた毛髪に不要な突っ張りが生じ、頭皮に対し痛み等の刺激が与えられる場合がある。これに対し、毛髪パーマネント処理方法１による場合、そのような毛髪に対するダメージや頭皮に対する負担が毛髪に与えられることはない。
【００５６】
さらに、従来の方法と比較し、毛髪パーマネント処理方法１においては、コールドペーパーを用いる必要がない点も特筆すべき点である。カーラ１１の外側面は保液機能を備えた素材により被覆されているため、コールドペーパーが不要である。その結果、毛髪束の巻き取りの手間が軽減される。また、コールドペーパーを毛髪束とロッドとの間に挟み込むために要する強いテンションが不要となるため、毛髪に対するダメージと頭皮に対する負担が軽減されるとともに、よりボリューム感のある形状を毛髪に与えることが可能となる。
【００５７】
なお、カーラ１１の被覆部が、例えば短繊維を本体部表面に接着等したものである場合、巻き取られる毛髪束との間に程良い摩擦力が生じ毛髪束がカーラ１１の外側面に絡み付くため、より弱いテンションで毛髪束の巻き取りが可能となり、結果としてよりボリューム感のある形状を毛髪に与えることが可能となる。
【００５８】
［２．変形例］
上述した毛髪パーマネント処理方法１の手順は一例であって、例えば以下のような様々な変形を加えることが可能である。
【００５９】
例えば、ステップＳ０４の後に、第１のピン１２−１を第１のカーラ１１−１から引き抜くステップを追加してもよい。なぜなら、ステップＳ０４において第２のピンにより、第２のカーラ１１−２に加え第１のカーラ１１−１も第２のピンにより固定されるため、第１のピン１２−１を第１のカーラ１１−１から引き抜いても、第１のカーラ１１−１の固定が解かれることはないためである。このように不要となったピン１２を抜き取ることにより、顧客の頭皮上に乗っている器具の重量が軽くなるとともに、巻き取られた毛髪束の根元に加えられる不要な力が小さくなり、顧客が感じる不快感が軽減される。
【００６０】
同様に、ステップＳ０６の後に、第２のピン１２−２を第２のカーラ１１−２から引き抜くステップを追加してもよい。なぜなら、ステップＳ０６において第３のピンにより、第３のカーラ１１−３に加え第２のカーラ１１−２も第３のピンにより固定されるため、第２のピン１２−２を第２のカーラ１１−２から引き抜いても、第２のカーラ１１−２の固定が解かれることはないためである。
【００６１】
ただし、この場合、第１のピン１２−１が第１のカーラ１１−１から引き抜かれていない必要がある。仮に第１のピン１２−１が第１のカーラ１１−１から引き抜かれ、さらに第２のピン１２−２が第２のカーラ１１−２から引き抜かれると、第２のピン１２−２により固定されていた第１のカーラ１１−１の固定が解かれてしまうためである。
【００６２】
また、カーラ１１に対するピン１２の差し込み方向は上述したものに限られず、状況に応じて様々に変更可能である。例えば、ステップＳ０７において、第３のピン１２−３を第３カーラ１１および第２のカーラ１１−２を串刺しするように差し込むことに代えて、例えばステップＳ０３における場合と同様に、第３のカーラ１１−３のみを前方上から後方下に向けて貫くように第３のピン１２−３を差し込むようにしてもよい。
【００６３】
また、ステップＳ０９における軟化剤の噴霧のタイミングは一例であって、ステップＳ０９に加えて、もしくはそれに代えて、例えばステップＳ０１の後にパーマネント処理を行う領域の毛髪全体に対し軟化剤の噴霧が行われてもよいし、ステップＳ０２、ステップＳ０４、またはステップＳ０６の前または途中や、ステップＳ０３、ステップＳ０５、またはステップＳ０７の後に、各々の毛髪束に対し軟化剤の噴霧が行われてもよい。
【００６４】
また、軟化剤および硬化剤を毛髪に付着させる方法として、毛髪パーマネント処理方法１においてはスプレイヤを用いた噴霧が採用されることが簡便で望ましいが、例えばボトルから毛髪束に直接垂らすことによりそれらの液剤を毛髪束に付着させる方法など、他の方法が採用されてもよい。
【００６５】
また、上述したカーラ１１およびピン１２の形状、サイズおよび素材は一例であって、それらに限られない。
【００６６】
カーラ１１に関して、図１に例示したカーラ１１は、株式会社ミルボン（大阪市旭区）により製造・販売されているニューミルボンローラーＳ−４号であり、直径約２８ミリメートル、長さ約４７ミリメートルである。ただし、カーラ１１は、中空の円筒形状の本体部と、その本体部の少なくとも外側面を覆うように設けられた被覆部とを備え、本体部の側面には後述するピン１２の差し込みを受容する多数の孔が設けられ、被覆部はパーマネント処理に用いられる軟化剤および硬化剤を保持する保液能力を備えるとともにそれらの液剤により腐食や剥離が生じない素材を用いた被覆処理が施されたものであれば、いずれの形状、サイズ、素材のものがカーラ１１として採用されてもよい。
【００６７】
特にサイズに関して述べると、カーラ１１の直径は５〜５０ミリメートルの間で、例えば１〜３ミリメートル刻みに異なるものが利用可能であることが望ましい。なお、それら異なる直径のカーラ１１の長さは、いずれも４０〜５０ミリメートル程度であることが望ましい。このように異なる直径のカーラ１１が利用可能となることで、パーマネント処理により形成可能な毛髪形状のカールの直径を柔軟に変更することが可能となる。
【００６８】
なお、上述した構造を備えるカーラ１１として、直径が１５ミリメートル未満のものは本願発明者が知る限り先行技術として存在しない。これは、例えば上述したニューミルボンローラーやその類似製品であるマツバセットカーラー（製造・販売元不明）が、いずれもパーマネント処理に用いられる巻き取り器具としてではなく、毛髪形状のセッティング（いわゆるセット）に用いられる巻き取り器具（通常、１５ミリメートル未満の小径のものを要さない）として製造・販売され、利用されているためである。
【００６９】
また、カーラ１１の色も、例えばパステルカラー各色のように、使用者の好みに応じて様々なものが用いられることが望ましい。
【００７０】
ピン１２に関して、図２に例示したピン１２は、マツバピン（またはマツバカーラーピン）という製品名で販売されている製品（製造・販売元不明）であり、そのサイズ等については上述したとおりである。ただし、ピン１２は、カーラ１１の側面に設けられた互いに対向する位置の２つの孔を貫くように差し込まれ、その位置で安定する構造を備えていれば、いずれの形状、サイズ、素材のものがピン１２として採用されてもよい。
【００７１】
また、ピン１２の色やデザインも、使用者の好みに応じて様々なものが用いられることが望ましい。例えば、ピン１２のヘッド部の色を例えばパステルカラー各色としたり、ヘッド部の形状を星型、月型、ハート型等としたりしてもよい。
【産業上の利用可能性】
【００７２】
本発明にかかる毛髪パーマネント処理に関する方法および毛髪束巻き取り器具は、広く理美容業において利用され得る。
【符号の説明】
【００７３】
１１…カーラ、１２…ピン
【図１】
2012034919.tif 000003
【図２】
2012034919.tif 000004
【図３】
2012034919.tif 000005
【図４】
2012034919.tif 000006
【図５】
2012034919.tif 000007
【図６】
2012034919.tif 000008